(57)【要約】【課題】  白バランスを確保しながら、有機ＥＬパネルのＲＧＢ各色の表現能力を最大限に引き出す駆動装置を提供する。【解決手段】  表示パネルにアナログ駆動信号を供給することにより、表示パネルを駆動する装置であって、ディジタル映像信号を供給するディジタル映像信号供給部と、ディジタル映像信号の色相を表す色相信号を生成する色相信号生成部と、ディジタル映像信号の彩度を表す彩度信号を生成する彩度信号生成部と、色相信号と彩度信号に基づいて、アナログ駆動信号の利得を制御する利得制御信号を生成する利得制御信号生成部と、利得制御信号に基づいて、ディジタル映像信号からアナログ駆動信号を生成するアナログ駆動信号生成部とを有する。【選択図】図１
2007163761.tif 000002
【特許請求の範囲】
【請求項１】
表示パネルにアナログ駆動信号を供給し、前記表示パネルを駆動する装置であって、
ディジタル映像信号を供給するディジタル映像信号供給手段と、
前記ディジタル映像信号の色相を表す色相信号を生成する色相信号生成手段と、
前記ディジタル映像信号の彩度を表す彩度信号を生成する彩度信号生成手段と、
前記色相信号と前記彩度信号に基づいて、前記アナログ駆動信号の利得を制御する利得制御信号を生成する利得制御信号生成手段と、
前記利得制御信号に基づいて、前記ディジタル映像信号から前記アナログ駆動信号を生成するアナログ駆動信号生成手段とを有することを特徴とする、表示パネル駆動装置。
【請求項２】
前記利得制御信号生成手段は、前記ディジタル映像信号の画素ごとに、前記利得制御信号を生成することを特徴とする、請求項１に記載の表示パネル駆動装置。
【請求項３】
前記利得制御信号生成手段は、前記ディジタル映像信号の３原色ごとに、前記利得制御信号を生成することを特徴とする、請求項１に記載の表示パネル駆動装置。
【請求項４】
前記利得制御信号生成手段は、
前記ディジタル映像信号の３原色が所定信号値の場合、前記表示パネルの３原色が所定輝度値になるように、前記利得制御信号を生成し、
前記ディジタル映像信号の３原色のうち、特定の原色が前記所定信号値で、他の２原色が前記所定信号値以下の場合、前記所定輝度値以上に、前記特定の原色に対応する利得制御信号を生成することを特徴とする、請求項１に記載の表示パネル駆動装置。
【請求項５】
前記アナログ駆動信号生成手段は、Ｄ／Ａコンバータを含み、
前記Ｄ／Ａコンバータは、前記利得制御信号に基づいて、前記ディジタル映像信号から前記アナログ駆動信号を生成することを特徴とする、請求項１に記載の表示パネル駆動装置。
【請求項６】
前記アナログ駆動信号生成手段は、
前記利得制御信号に基づいて、前記ディジタル映像信号からディジタル増幅信号を生成する信号増幅部と、
前記ディジタル増幅信号から前記アナログ駆動信号を生成するＤ／Ａコンバータとを含むことを特徴とする、請求項１に記載の表示パネル駆動装置。
【請求項７】
表示パネルにアナログ駆動信号を供給し、前記表示パネルを駆動する装置でおいて、ディジタル映像信号を供給するディジタル映像信号供給手段と、前記ディジタル映像信号の色相を表す色相信号を生成する色相信号生成手段と、前記ディジタル映像信号の彩度を表す彩度信号を生成する彩度信号生成手段と、前記色相信号と前記彩度信号に基づいて、前記アナログ駆動信号の利得を制御する利得制御信号を生成する利得制御信号生成手段と、前記利得制御信号に基づいて、前記ディジタル映像信号から前記アナログ駆動信号を生成するアナログ駆動信号生成手段とを有する表示パネル駆動装置に用いる半導体チップであって、
前記色相信号生成手段と、前記彩度信号生成手段と、前記利得制御信号生成手段とを組み込んだ半導体チップ。
【請求項８】
前記アナログ駆動信号生成手段は、
前記利得制御信号に基づいて、前記ディジタル映像信号からディジタル増幅信号を生成する信号増幅部と、
前記ディジタル増幅信号から前記アナログ駆動信号を生成するＤ／Ａコンバータとを含み、
更に、前記信号増幅部を備えることを特徴とする、請求項７に記載の半導体チップ。
【請求項９】
表示パネルにアナログ駆動信号を供給し、前記表示パネルを駆動する装置であって、
ディジタル映像信号を供給するステップと、
前記ディジタル映像信号の色相を表す色相信号を生成するステップと、
前記ディジタル映像信号の彩度を表す彩度信号を生成するステップと、
前記色相信号と前記彩度信号に基づいて、前記アナログ駆動信号の利得を制御する利得制御信号を生成するステップと、
前記利得制御信号に基づいて、前記ディジタル映像信号から前記アナログ駆動信号を生成するステップとを有することを特徴とする、表示パネル駆動方法。
【発明の詳細な説明】
【技術分野】
【０００１】
本発明は、表示パネル駆動装置および駆動方法に関し、詳しくは有機ＥＬパネルの色表現能力を最大限に引き出す有機ＥＬパネルの輝度制御技術に関するものである。
【背景技術】
【０００２】
有機ＥＬパネルは、バックライトを必要とする液晶パネルと異なり、自発光デバイスであるため、コントラストが高く、薄型化、低電力化に有利と考えられている。このため、次世代ディスプレイデバイスとして早期の実用化が望まれている。
【０００３】
有機ＥＬパネルの画像表示性能、特に色再現性能、および電力は、ＲＧＢの各発光材料の色度、および発光効率によるところが大きく、材料の改善が望まれている。映像の表示品位の面では、ＲＧＢ各個別の性能のみならず、ＲＧＢのバランスも重要である。たとえば、Ｒの色純度が他の色の純度より劣っていれば、単に赤の再現性能が不十分になるだけでなく、画像全体の青みが強くなり、映像の白バランスがくずれる課題が発生する。
【０００４】
このため、従来から白バランスが最適になるように、ＲＧＢの輝度比率を合わせる方法が提案されている。
【０００５】
図１５は、特許文献１における従来の有機ＥＬパネルの駆動装置のブロック図である。１０ｐは有機ＥＬパネル、２ｐは有機ＥＬのＲの輝度特性を補正するための第１のγ調整回路、３ｐはＧの輝度特性を補正するための第２のγ調整回路、４ｐはＢの輝度特性を補正するための第３のγ調整回路である。このように構成された有機ＥＬパネルの駆動装置において、ＲＧＢの発光材料の輝度特性に合わせたＲＧＢ個別のγ調整を行い、白バランスも同時に調整するものである。特許文献１では、これをＤ／Ａコンバータで実現することが示されている。また特許文献２では、パネルのドライバ側で、ディジタル入力レベルに対して、有機ＥＬに流れるＲＧＢの電流を個別に精度良く調整する手法も提案されている。
【特許文献１】特開２００３−２５５９００号公報
【特許文献２】特開２００４−１５１６９４号公報
【特許文献３】特開２００２−４１０００号公報
【特許文献４】特開２００４−２０８０１０号公報
【発明の開示】
【発明が解決しようとする課題】
【０００６】
以下に、本発明が解決しようとする課題について説明する。特許文献１や特許文献２に記載する方法は、白バランスを確保するために、ＲＧＢの個別の最大輝度に制約を与える。その結果、特定の色を表現するときの輝度が不足し、例えば本来明るい緑に見えなければならない色が、暗い緑に見えるなどの課題が発生する。
【０００７】
図１６を用いて、さらに詳細に説明する。図１６は、有機ＥＬパネルに許容される最大電流について、ＲＧＢの３系統とも等しく流したときの輝度の一例を示したものである。この例では、ＲＧＢの発光効率の比を例えば２：２：１とし、この比率における輝度の値を示している。ＲＧＢに流す電流が等しければ、輝度比は発光効率の比と等しくなる。この時点で白バランスがとれていれば、電力面からＲＧＢの発光材料の最大能力を引き出した表示が可能となる。しかし通常は、ＲＧＢ個別に材料改善が進められており、最高材料の組み合わせで、このように白バランスがとれるわけではない。
【０００８】
白バランスを確保するためには、図１７に示すように、特定の色について輝度を下げて、白バランスを調整する。図１７は、Ｇの輝度を下げた場合を示している。このように調整された装置に、ＲＧＢ各２５６階調のディジタル映像信号を入力する場合、ＲＧＢ各２５５のレベルのディジタルデータを入力したときに、図１７に示す輝度で表示されることになる。このように調整された装置に、緑の映像を表示したときに、表示装置が表現可能な緑の輝度は、図１７のレベルに留まる。すなわち、図１６に示す本来のパネルの性能が、引き出せないことになる。
【０００９】
本発明は、以上のような課題を改善するため、白バランスを確保しながら、ＲＧＢ各色の表現能力を最大限に引き出す表示パネル駆動装置および駆動方法を提供する。
【課題を解決するための手段】
【００１０】
上記目的を達成するために、本発明の表示パネル駆動装置は、表示パネルにアナログ駆動信号を供給し、前記表示パネルを駆動する装置であって、ディジタル映像信号を供給するディジタル映像信号供給手段と、前記ディジタル映像信号の色相を表す色相信号を生成する色相信号生成手段と、前記ディジタル映像信号の彩度を表す彩度信号を生成する彩度信号生成手段と、前記色相信号と前記彩度信号に基づいて、前記アナログ駆動信号の利得を制御する利得制御信号を生成する利得制御信号生成手段と、前記利得制御信号に基づいて、前記ディジタル映像信号から前記アナログ駆動信号を生成するアナログ駆動信号生成手段とを有することを特徴としている。
【００１１】
また、本発明の半導体チップは、表示パネルにアナログ駆動信号を供給し、前記表示パネルを駆動する装置でおいて、ディジタル映像信号を供給するディジタル映像信号供給手段と、前記ディジタル映像信号の色相を表す色相信号を生成する色相信号生成手段と、前記ディジタル映像信号の彩度を表す彩度信号を生成する彩度信号生成手段と、前記色相信号と前記彩度信号に基づいて、前記アナログ駆動信号の利得を制御する利得制御信号を生成する利得制御信号生成手段と、前記利得制御信号に基づいて、前記ディジタル映像信号から前記アナログ駆動信号を生成するアナログ駆動信号生成手段とを有する表示パネル駆動装置に用いる半導体チップであって、前記色相信号生成手段と、前記彩度信号生成手段と、前記利得制御信号生成手段とを組み込んだことを特徴としている。
【００１２】
また、本発明の駆動方法は、表示パネルにアナログ駆動信号を供給し、前記表示パネルを駆動する装置であって、ディジタル映像信号を供給するステップと、前記ディジタル映像信号の色相を表す色相信号を生成するステップと、前記ディジタル映像信号の彩度を表す彩度信号を生成するステップと、前記色相信号と前記彩度信号に基づいて、前記アナログ駆動信号の利得を制御する利得制御信号を生成するステップと、前記利得制御信号に基づいて、前記ディジタル映像信号から前記アナログ駆動信号を生成するステップとを有することを特徴としている。
【発明の効果】
【００１３】
本発明の表示パネル駆動装置および駆動方法によれば、入力の色相情報と彩度情報に応じて、有機ＥＬパネルに与えるアナログ駆動信号のダイナミックレンジを制御することにより、白バランスを確保するために特定の色の輝度を犠牲にすることなく、パネルの色彩表現能力の最大限まで引き出す表示が可能であり、表現力豊かな画像が提供できるという効果を有する。
【発明を実施するための最良の形態】
【００１４】
以下、本発明の実施の形態に関するいくつかの例について、図面を参照しながら説明する。尚、図面において、実質的に同一の構成、動作、および効果を表す要素については、同一の符号を付す。また、以下において記述される数字は、すべて本発明を具体的に説明するために例示したものであり、本発明は例示された数字に制限されない。
（実施の形態１）
【００１５】
実施の形態１では、有機ＥＬディスプレイパネルの色表現能力を最大限引き出すため、ＲＧＢ駆動信号のダイナミックレンジを制御する構成について、説明する。
【００１６】
図１は、本発明の実施の形態１の全体構成を示すブロック図である。ここで映像信号は、ＲＧＢの３原色により表現される。「Ｒ」はレッド、すなわち赤色を表し、「Ｇ」はグリーン、すなわち緑色を表し、「Ｂ」はブルー、すなわち青色を表す。これら３つの原色をまとめて、「ＲＧＢ」と呼ぶ。Ｒ、Ｇ、Ｂを要素とする表示をＲＧＢ表示と呼び、Ｒ、Ｇ、Ｂを要素とする空間をＲＧＢ空間と呼ぶ。
【００１７】
図１において、表示パネル部９は、有機ＥＬパネル１０およびゲートドライバ１２を含む。アナログ駆動信号生成部１１は、シフトレジスタ１１ａおよびＤ／Ａコンバータ１１ｂを含む。ディジタル映像信号供給部１は、レッドディジタル映像信号Ｓ１Ｒ、グリーンディジタル映像信号Ｓ１Ｇ、およびブルーディジタル映像信号Ｓ１Ｂを供給する。ディジタル映像信号供給部１の供給するこれら３原色に対応する３系統の信号を、ディジタル映像信号Ｓ１と総称する。
【００１８】
シフトレジスタ１１ａには、ディジタル映像信号Ｓ１が入力され、有機ＥＬパネル１０の水平ライン方向にシフトされ、シフトレジスタ信号Ｓ１１ａが生成される。Ｄ／Ａコンバータ１１ｂには、ディジタル値を有するシフトレジスタ信号Ｓ１１ａが入力され、アナログ値を有するアナログ駆動信号Ｓ１１に変換され、有機ＥＬパネル１０に出力される。
【００１９】
またＤ／Ａコンバータ１１ｂには、利得制御信号Ｓ７が入力され、利得制御信号Ｓ７に基づいて、ディジタル値からアナログ値に変換する際の増幅度、すなわちＤ／Ａ利得が設定される。利得制御信号Ｓ７は、レッドのＤ／Ａ利得を設定するレッド利得制御信号Ｓ７Ｒ、グリーンのＤ／Ａ利得を設定するグリーン利得制御信号Ｓ７Ｇ、およびブルーのＤ／Ａ利得を設定するブルー利得制御信号Ｓ７Ｂを含む。ここでＤ／Ａコンバータ１１ｂは、Ｄ／Ａ利得がＲＧＢ独立に、また画素毎に調整できるように構成される。また、利得制御信号Ｓ７が１でシフトレジスタ信号Ｓ１１ａが最大値の場合、駆動し得る最大電流を有するアナログ駆動信号Ｓ１１に変換される。
【００２０】
図２は、実施の形態１における色相信号生成部５の動作説明図である。色相信号生成部５は、ディジタル映像信号Ｓ１に基づいて、色相信号Ｓ５を生成する。図２において、レッド、イエロー、グリーン、シアン、ブルー、マジェンダ、レッドのようにディジタル映像信号Ｓ１の色相が変化すると、色相信号Ｓ５は、０から１へと線形変換される。
【００２１】
図３は、色相信号生成部５の具体的な構成例である。ここで、「Ｈ」はヒュー、すなわち色相を表し、「Ｓ」はサチュレーション、すなわち彩度を表し、「Ｖ」はバリュー、すなわち明度を表す。彩度は色彩度とも呼ぶ。これら３色をまとめて、「ＨＳＶ」と呼ぶ。Ｈ、Ｓ、Ｖを要素とする表示をＨＳＶ表示と呼び、Ｈ、Ｓ、Ｖを要素とする空間をＨＳＶ空間と呼ぶ。図３における色相信号生成部５は、ディジタル映像信号Ｓ１の各画素において、ＲＧＢ空間をＨＳＶ空間に画素ごとに変換することにより、ヒューに基づいて色相信号Ｓ５を生成する。
【００２２】
最大値検出部５１は、ＲＧＢの最大レベルの信号を画素ごとに検出し、最大値信号Ｓ５１を出力する。最小値検出部５２は、ＲＧＢの最小レベルの信号を画素ごとに検出し、最小値信号Ｓ５２を出力する。中間値検出部５３は、ＲＧＢの中間レベルの信号を画素ごとに検出し、中間値信号Ｓ５３を出力する。
【００２３】
第２色相情報検出部５４は、ディジタル映像信号Ｓ１に基づいて第２色相情報信号Ｓ５４を検出する。ディジタル映像信号Ｓ１のある画素において、Ｒ＞Ｇ≧Ｂの関係にある場合、すなわち色相がレッドからイエローの間にある場合、第２色相情報信号Ｓ５４は０（ゼロ）となる。ディジタル映像信号Ｓ１のある画素において、Ｇ≧Ｒ＞Ｂの関係にある場合、すなわち色相がイエローからグリーンの間にある場合、第２色相情報信号Ｓ５４は１となる。ディジタル映像信号Ｓ１のある画素において、Ｇ＞Ｂ≧Ｒの関係にある場合、すなわち色相がグリーンからシアンの間にある場合、第２色相情報信号Ｓ５４は２となる。ディジタル映像信号Ｓ１のある画素において、Ｂ≧Ｇ＞Ｒの関係にある場合、すなわち色相がシアンからブルーの間にある場合、第２色相情報信号Ｓ５４は３となる。ディジタル映像信号Ｓ１のある画素において、Ｂ＞Ｒ≧Ｇの関係にある場合、すなわち色相がブルーからマジェンダの間にある場合、第２色相情報信号Ｓ５４は４となる。ディジタル映像信号Ｓ１のある画素において、Ｒ≧Ｂ＞Ｇの関係にある場合、すなわち色相がマジェンダからレッドの間にある場合、第２色相情報信号Ｓ５４は５となる。
【００２４】
第１色相情報生成部５５は、最大値信号Ｓ５１、最小値信号Ｓ５２、および中間値信号Ｓ５３を基に、式１に従って、第１色相情報信号Ｓ５５を生成する。
Ｓ５５＝（Ｓ５３−Ｓ５２）／（Ｓ５１−Ｓ５２）              ・・・・（１）
【００２５】
図４に、色相に対する第１色相情報信号Ｓ５５の関係を示す。図４に示す第１色相情報信号Ｓ５５を、図２のように線形な情報に変換するため、第２色相情報信号Ｓ５５を用いる。相補信号生成部５６は、第１色相情報信号Ｓ５５に対して、式２に従って、相補信号Ｓ５６を生成する。
Ｓ５６＝１−Ｓ５５                                          ・・・・（２）
【００２６】
図５に、色相と相補信号Ｓ５６の関係を示す。セレクタ５７は、第２色相情報信号Ｓ５５の値に応じて、第１色相情報信号Ｓ５５と相補信号Ｓ５６とを切り替え、セレクタ出力信号Ｓ５７を出力する。セレクタ出力信号Ｓ５７は、第２色相情報信号Ｓ５５の値が０、２、４の場合、第１色相情報信号Ｓ５５となり、一方第２色相情報信号Ｓ５５の値が１、３、５の場合、相補信号Ｓ５６となる。これにより、セレクタ出力信号Ｓ５７は、図６のようになる。
【００２７】
加算回路５８は、セレクタ出力信号Ｓ５７と第２色相情報信号Ｓ５５を加算し、加算出力信号Ｓ５８を出力する。図７に、加算出力信号Ｓ５８と色相の関係を示す。正規化部５９は、加算出力信号Ｓ５８を０から１までの範囲内に正規化するため、例えば加算出力信号Ｓ５８に対して１／６を乗算する回路である。このように構成された色相信号生成部５により、ディジタル映像信号Ｓ１の各画素に対し、図２に示すように、０から１の色相信号Ｓ５が出力される。
【００２８】
図８は、実施の形態１における彩度信号生成部６の具体的な構成例である。彩度信号生成部６は、ディジタル映像信号Ｓ１に基づいて彩度信号Ｓ６を生成する。彩度信号Ｓ６は、色レベルの薄いレベルから濃いレベルに対して、０から１へと線形変換される。図８における彩度信号生成部６は、ディジタル映像信号Ｓ１の各画素において、ＲＧＢ空間をＨＳＶ空間に画素ごとに変換することにより、サチュレーションに基づいて彩度信号Ｓ６を生成する。彩度情報生成部６１は、最大値信号Ｓ５１および最小値信号Ｓ５２を基に、式３に従って、彩度情報信号Ｓ６を生成する。
Ｓ６＝（Ｓ５１−Ｓ５２）／Ｓ５１                            ・・・・（３）
【００２９】
図１において、利得制御信号生成部７は、色相信号Ｓ５および彩度信号Ｓ６に基づいて、ＲＧＢそれぞれのダイナミックレンジを算出し、利得制御信号Ｓ７を生成する。この利得制御信号生成部７の動作を、図９、図１０に示す。図９は、色相信号Ｓ５に対する利得制御信号Ｓ７の特性であり、彩度信号Ｓ６が１、すなわち最大彩度の場合を示している。レッド利得制御信号Ｓ７Ｒ、グリーン利得制御信号Ｓ７Ｇ、およびブルー利得制御信号Ｓ７Ｂについて、白バランスを合わせた場合の利得、すなわち白バランス利得は、それぞれレッド白バランス利得ＷＢＲ、グリーン白バランス利得ＷＢＧ、ブルー白バランス利得ＷＢＢである。この白バランス利得の設定は、有機ＥＬパネルの材料特性によって異なる。実施の形態１では、レッド白バランス利得ＷＢＲ＝０．７５、グリーン白バランス利得ＷＢＧ＝０．６、ブルー白バランス利得ＷＢＢ＝１としている。
【００３０】
また図１０は、色相信号Ｓ５に対する利得制御信号Ｓ７の特性であり、彩度信号Ｓ６が矢印Ｆ１０Ｓ６の方向に、０から１に変化する場合を示している。図１０（ａ）はレッド利得制御信号Ｓ７Ｒ、図１０（ｂ）はグリーン利得制御信号Ｓ７Ｇ、図１０（ｃ）はブルー利得制御信号Ｓ７Ｂの場合を示す。このように利得制御信号生成部７は、図１０の曲線で示されるテーブルに基づいて、色相信号Ｓ５と彩度信号Ｓ６から、レッド利得制御信号Ｓ７Ｒとグリーン利得制御信号Ｓ７Ｇとブルー利得制御信号Ｓ７Ｂとを生成する。これら利得制御信号Ｓ７をアナログ駆動信号生成部１１に供給することにより、アナログ駆動信号生成部１１は、利得制御信号Ｓ７の比率に基づいて、ディジタル映像信号Ｓ１からアナログ駆動信号Ｓ１１を生成する。
【００３１】
このように構成された表示パネル駆動装置について、その動作を説明する。ディジタル映像信号Ｓ１が無彩色を表す場合、彩度信号Ｓ６は、無彩色データであることを示す０（ゼロ）となる。この場合、図１０に示すように、色相信号Ｓ５に関わらず、レッド利得制御信号Ｓ７Ｒ、グリーン利得制御信号Ｓ７Ｇ、およびブルー利得制御信号Ｓ７Ｂは一定となり、その値は、図９におけるレッド白バランス利得ＷＢＲ、グリーン白バランス利得ＷＢＧ、ブルー白バランス利得ＷＢＢに、それぞれ一致する。
【００３２】
図１１および図１２は、それぞれ無彩色表示時および有彩色（カラー）表示時における動作の説明図である。図１１（ａ）は、無彩色表示時のディジタル映像信号Ｓ１であり、１００％白を表している。図１１（ｂ）は、図１１（ａ）のディジタル映像信号Ｓ１に対応するアナログ駆動信号Ｓ１１である。白バランスをとるために、レッド利得制御信号Ｓ７Ｒを０．７５、グリーン利得制御信号Ｓ７Ｇを０．６、およびブルー利得制御信号Ｓ７Ｂを１としており、それぞれこの比率でアナログ駆動信号Ｓ１１に変換される。図１１（ｃ）は、アナログ駆動信号Ｓ１１に対応する有機ＥＬパネル１０の輝度であり、有機ＥＬパネル１０の各画素をアナログ駆動信号Ｓ１１で駆動した場合に、ＲＧＢの発光効率に基づいた輝度で表示される。
【００３３】
実施の形態１では、ＲＧＢの輝度がそれぞれ等しいときに、白バランスが合った状態としている。すなわち、ディジタル映像信号Ｓ１が無彩色表示時に、ＲＧＢの輝度はいずれも１となり、１００％白を表示する。一方、有機ＥＬパネル１０の最大輝度は、ＲＧＢによって異なる。図１１（ｃ）では、ＲＧＢの最大輝度を、レッドパネル最大輝度ＶＭＡＸＲ、グリーンパネル最大輝度ＶＭＡＸＲ、およびブルーパネル最大輝度ＶＭＡＸＲのように、それぞれ設定している。ＲＧＢの輝度のダイナミンクレンジは、矢印で示すように、それぞれレッド輝度ダイナミンクレンジＤＲＲ、グリーン輝度ダイナミンクレンジＤＲＧ、およびブルー輝度ダイナミンクレンジＤＲＢのようになる。
【００３４】
次に、ディジタル映像信号Ｓ１が色鮮やかな緑の場合、色相信号Ｓ５はグリーンを示し、彩度信号Ｓ６の彩度レベルは大きくなる。利得制御信号生成部７は、この色相信号Ｓ５と彩度信号Ｓ６から、図９および図１０の曲線で示すテーブルに基づいて、彩度が高いほど１に近い値をグリーン利得制御信号Ｓ７Ｇとして出力する。一方レッド利得制御信号Ｓ７Ｒおよびブルー利得制御信号Ｓ７Ｂは、白表示の利得を出力する。
【００３５】
図１２（ａ）は、ディジタル映像信号Ｓ１であり、図１２（ｂ）は、図１２（ａ）のディジタル映像信号Ｓ１に対応するアナログ駆動信号Ｓ１１である。白バランスをとるために、レッド利得制御信号Ｓ７Ｒは０．７５、ブルー利得制御信号Ｓ７Ｂは１としているが、グリーン利得制御信号Ｓ７Ｇは０．９と大きくしている。これにより、グリーンのアナログ駆動信号Ｓ１１は、図１１（ｂ）における１００％白の場合の値以上になる。その結果、図１２（ｃ）のように、有機ＥＬパネル１０の対応する画素から発光されるグリーンの輝度も、図１１（ｃ）に示す１００％白の場合の値以上の輝度で発光する。
【００３６】
以上では、１００％白の場合のディジタル映像信号Ｓ１に対して、有機ＥＬパネル１０は１００％白の輝度を発光し、特定の原色、例えばグリーンディジタル映像信号Ｓ１Ｇが１００％白の場合の場合と等しい信号値で、他の原色の信号値が小さい場合、有機ＥＬパネル１０のグリーンの輝度は、１００％白の場合の輝度以上の輝度を発光するとした。一般には１００％白の場合に限らず、利得制御信号生成部７は、ディジタル映像信号Ｓ１の３原色が所定信号値の場合、有機ＥＬパネル１０の３原色が所定輝度値になるように、利得制御信号を生成し、ディジタル映像信号Ｓ１の３原色のうち、特定の原色が所定信号値で、他の２原色が所定信号値以下の場合、所定輝度値以上に、特定の原色に対応する利得制御信号を生成する。
【００３７】
以上のように、本発明では入力の色に応じて、ＲＧＢのダイナミックレンジを制御するため、白バランスを確保しながら、輝度のダイナミックレンジを十分生かすことができる。このように、有機ＥＬパネル１０の色彩表現能力を最大限まで引き出した表示が可能であり、表現力豊かな画像が提供できる。
【００３８】
なお、実施の形態１では、色相信号生成部５および彩度信号生成部６において、それぞれ色相信号Ｓ５および彩度信号Ｓ６は、ＲＧＢ空間をＨＳＶ空間に変換する原理を用いて生成している。しかしながら、ＲＧＢ空間から、輝度信号Ｙと各色差信号Ｒ−Ｙ、Ｂ−Ｙから成る空間に変換しても可能である。この場合、彩度信号Ｓ６は、Ｒ−ＹとＢ−Ｙから、式４により得られ、また色相信号Ｓ５は式５により得られる。
Ｓ６＝√｛（Ｒ−Ｙ）＾２＋（Ｂ−Ｙ）＾２｝                  ・・・・（４）
Ｓ５＝ＡＴＡＮ（Ｒ−Ｙ／Ｂ−Ｙ）                            ・・・・（５）
【００３９】
ここで「＾２」は、「＾２」がかかる左項に対する２乗演算を表す。また「ＡＴＡＮ」は、逆正接関数を表す。この場合、演算回路の規模は大きくなるが、ＨＳＶ空間に変換する場合と同様、色相信号Ｓ５および彩度信号Ｓ６に応じて、ＲＧＢのダイナミックレンジを制御することが可能であり、有機ＥＬパネル１０の色彩表現能力を最大限まで引き出した表示で、表現力豊かな画像が提供できる。
【００４０】
実施の形態１の構成を半導体チップに組み込む場合、色相信号生成部５と、彩度信号生成部６と、利得制御信号生成部７とを組み込む構成であれば、すべてディジタル信号処理により構成できるため、実現容易である。
（実施の形態２）
【００４１】
実施の形態１では、利得制御信号生成部７が制御するＤ／Ａコンバータ１１ｂは、アナログ駆動信号生成部１１内にあり、有機ＥＬパネル１０を直接的に駆動する構成とした。実施の形態２では、Ｄ／Ａコンバータ１１ｂは利得制御信号生成部７により制御されるが、Ｄ／Ａコンバータ１１ｂのアナログ出力信号Ｓ１１ｂは、ソースドライバ１１ｃを介して、有機ＥＬパネル１０に供給される。すなわち実施の形態２では、アナログ駆動信号生成部１１は、Ｄ／Ａコンバータ１１ｂとソースドライバ１１ｃを含み、ソースドライバ１１ｃは、Ｄ／Ａコンバータ１１ｂのアナログ出力信号Ｓ１１ｂを入力し、駆動能力の高いアナログ駆動信号Ｓ１１を生成し、有機ＥＬパネル１０に供給する。
【００４２】
この場合でも、実施の形態１と同様に、利得制御信号生成部７は、利得制御信号Ｓ７によりＤ／Ａ利得を制御することで、実施の形態１と同じ動作および効果を得る。
（実施の形態３）
【００４３】
実施の形態３について、実施の形態１と異なる点を中心に説明する。その他の構成、動作、および効果は、実施の形態１と同様である。
【００４４】
図８は、本発明の実施の形態３のブロック図である。図８において、アナログ駆動信号生成部１１は、信号増幅部１４と、シフトレジスタ１１ａと、Ｄ／Ａコンバータ１１ｂを含む。すなわち実施の形態３は、実施の形態１において、シフトレジスタ１１ａの前段に信号増幅部１４を設け、利得制御信号Ｓ７は、Ｄ／Ａコンバータ１１ｂのＤ／Ａ利得を制御するのではなく、信号増幅部１４の増幅度を制御するように構成している。信号増幅部１４は、利得制御信号Ｓ７により設定される増幅度で、ディジタル映像信号Ｓ１を増幅し、ディジタル増幅信号Ｓ１４を生成する。
【００４５】
信号増幅部１４は、レッド信号増幅部１４Ｒと、グリーン信号増幅部１４Ｇと、ブルー信号増幅部１４Ｂとを含む。レッド信号増幅部１４Ｒは、レッド利得制御信号Ｓ７Ｒにより設定される増幅度で、レッドディジタル映像信号Ｓ１Ｒを増幅し、レッドディジタル増幅信号Ｓ１４Ｒを生成する。グリーン信号増幅部１４Ｇは、グリーン利得制御信号Ｓ７Ｇにより設定される増幅度で、グリーンディジタル映像信号Ｓ１Ｇを増幅し、グリーンディジタル増幅信号Ｓ１４Ｇを生成する。ブルー信号増幅部１４Ｂは、ブルー利得制御信号Ｓ７Ｂにより設定される増幅度で、ブルーディジタル映像信号Ｓ１Ｂを増幅し、ブルーディジタル増幅信号Ｓ１４Ｂを生成する。レッドディジタル増幅信号Ｓ１４Ｒと、グリーンディジタル増幅信号Ｓ１４Ｇと、ブルーディジタル増幅信号Ｓ１４Ｂとを総称して、ディジタル増幅信号Ｓ１４と呼ぶ。
【００４６】
信号増幅部１４は、２系統のディジタル値を入力し、１系統のディジタル値を出力するため、ディジタル乗算器や、ルック・アップ・テーブル等により構成される。実施の形態１では、Ｄ／Ａコンバータ１１ｂのＤ／Ａ利得を制御していたが、実施の形態３では、ディジタル映像信号Ｓ１を直接に制御している。ここでＤ／Ａコンバータ１１ｂは、レッドディジタル増幅信号Ｓ１４Ｒ、グリーンディジタル増幅信号Ｓ１４Ｇ、およびブルーディジタル増幅信号Ｓ１４Ｂが最大のときに、それぞれのアナログ駆動信号Ｓ１１が最大となるように設定されている。すなわち、Ｄ／Ａコンバータ１１ｂは、そのＤ／Ａ利得では白バランスを調整せず、入力されるディジタル増幅信号Ｓ１４が最大のときに、有機ＥＬパネル１０が許容する最大電流が流れるように調整されている。
【００４７】
実施の形態３では、限られた階調数のディジタル信号でダイナミックレンジを制御するので、ダイナミックな利得制御には限界があるが、ディジタル処理だけで構成できるため、容易に実現が可能という効果を有する。実施の形態３の構成を半導体チップに組み込む場合、色相信号生成部５と、彩度信号生成部６と、利得制御信号生成部７と、信号増幅部１４とを組み込む構成であれば、すべてディジタル信号処理により構成できるため、実現容易である。このように半導体チップを構成すれば、３系統のディジタル映像信号Ｓ１と３系統の利得制御信号Ｓ７を入力する信号増幅部１４は、半導体チップに収まるため、多信号線の電磁妨害処理等の付帯課題が解決できる。
【００４８】
以上、本発明を有機ＥＬパネル１０に適用した場合の実施の形態について説明したが、
本発明は液晶パネルなどの他の表示パネルにも適用可能であり、同様な構成および動作により、同様な効果が得られる。また、実施の形態において展開した説明は、すべて本発明を具体化した一例であり、本発明はこれらの例に限定されるものではない。
【産業上の利用可能性】
【００４９】
本発明は、表示パネル駆動装置および駆動方法に利用できる。
【図面の簡単な説明】
【００５０】
【図１】本発明の実施の形態１における全体構成のブロック図。
【図２】本発明の実施の形態１における色相信号生成部の動作説明図。
【図３】本発明の実施の形態１における色相信号生成部の詳細なブロック図。
【図４】本発明の実施の形態１における色相信号生成部の動作説明図。
【図５】本発明の実施の形態１における色相信号生成部の動作説明図。
【図６】本発明の実施の形態１における色相信号生成部の動作説明図。
【図７】本発明の実施の形態１における色相信号生成部の動作説明図。
【図８】本発明の実施の形態１における彩度信号生成部の動作説明図。
【図９】本発明の実施の形態１における利得制御信号生成部の動作説明図。
【図１０】本発明の実施の形態１における利得制御信号生成部の動作説明図。
【図１１】本発明の実施の形態１における無彩色表示時の動作説明図。
【図１２】本発明の実施の形態１における有彩色表示時の動作説明図。
【図１３】本発明の実施の形態２における全体構成のブロック図。
【図１４】本発明の実施の形態３における全体構成のブロック図。
【図１５】従来の有機ＥＬディスプレイ駆動装置のブロック図。
【図１６】従来の有機ＥＬディスプレイ駆動装置の動作説明図。
【図１７】従来の有機ＥＬディスプレイ駆動装置の動作説明図。
【符号の説明】
【００５１】
１  ディジタル映像信号供給部
５  色相信号生成部
６  彩度信号生成部
７  利得制御信号生成部
９  表示パネル部
１０  有機ＥＬパネル
１１  アナログ駆動信号生成部
１１ａ  シフトレジスタ
１１ｂ  Ｄ／Ａコンバータ
１１ｃ  ソースドライバ
１２  ゲートドライバ
【図１】
2007163761.tif 000003
【図２】
2007163761.tif 000004
【図３】
2007163761.tif 000005
【図４】
2007163761.tif 000006
【図５】
2007163761.tif 000007
【図６】
2007163761.tif 000008
【図７】
2007163761.tif 000009
【図８】
2007163761.tif 000010
【図９】
2007163761.tif 000011
【図１０】
2007163761.tif 000012
【図１１】
2007163761.tif 000013
【図１２】
2007163761.tif 000014
【図１３】
2007163761.tif 000015
【図１４】
2007163761.tif 000016
【図１５】
2007163761.tif 000017
【図１６】
2007163761.tif 000018
【図１７】
2007163761.tif 000019